(57)【特許請求の範囲】
【請求項１】
装置本体と、
前記装置本体内に設けられ、シートを搬送方向に案内する搬送路と、
前記装置本体内に設けられ、前記シートを前記搬送路に沿って搬送する搬送部と、
前記装置本体内において搬送される前記シートの幅方向の一端側に設けられ、前記搬送部を駆動する駆動部と、
前記装置本体内において前記搬送路と対向するように設けられ、前記幅方向の一端側から他端側まで延びて、搬送される前記シートの一方の面の画像を読み取る第１読取部と、
前記装置本体内において前記搬送路を挟んで前記第１読取部とは反対側に設けられ、前記幅方向の一端側から他端側まで延びて、搬送される前記シートの他方の面の画像を読み取る第２読取部と、
前記装置本体内において前記搬送路を挟んで前記第１読取部とは反対側に設けられ、前記第１読取部及び前記第２読取部を制御する基板と、
前記第１読取部に設けられた第１端子部と前記基板とを電気的に接続する第１配線ケーブルと、
前記第２読取部に設けられた第２端子部と前記基板とを電気的に接続する第２配線ケーブルとを備え、
前記第１端子部は、前記第１読取部における前記幅方向の他端側に設けられ、
前記第２端子部は、前記第２読取部における前記幅方向の一端側に設けられ、
前記第１配線ケーブルは、前記幅方向の他端側で前記搬送路を迂回してから前記基板に接続され、
前記第２配線ケーブルは、前記幅方向の一端側で前記基板に接続され、
前記第１読取部は、前記搬送路に対して上側に位置し、
前記第２読取部及び前記基板は、前記搬送路に対して下側に位置し、
前記搬送路は、前記搬送方向の下流側に向かって下り傾斜し、
前記基板は、前記第２読取部の下側に位置し、
前記第２読取部は、前記搬送方向における前記第１読取部より上流側に位置し、
前記第１配線ケーブルと前記基板とが接続される第１接続部と、前記第２配線ケーブルと前記基板とが接続される第２接続部とは、前記幅方向にずれて配置され、
前記第１配線ケーブル及び前記第２配線ケーブルは、前記第１接続部及び前記第２接続部から前記幅方向に互いに離れるように延びていることを特徴とする画像読取装置。
【請求項２】
装置本体と、
前記装置本体内に設けられ、シートを搬送方向に案内する搬送路と、
前記装置本体内に設けられ、前記シートを前記搬送路に沿って搬送する搬送部と、
前記装置本体内において搬送される前記シートの幅方向の一端側に設けられ、前記搬送部を駆動する駆動部と、
前記装置本体内において前記搬送路と対向するように設けられ、前記幅方向の一端側から他端側まで延びて、搬送される前記シートの一方の面の画像を読み取る第１読取部と、
前記装置本体内において前記搬送路を挟んで前記第１読取部とは反対側に設けられ、前記幅方向の一端側から他端側まで延びて、搬送される前記シートの他方の面の画像を読み取る第２読取部と、
前記装置本体内において前記搬送路を挟んで前記第１読取部とは反対側に設けられ、前記第１読取部及び前記第２読取部を制御する基板と、
前記第１読取部に設けられた第１端子部と前記基板とを電気的に接続する第１配線ケーブルと、
前記第２読取部に設けられた第２端子部と前記基板とを電気的に接続する第２配線ケーブルとを備え、
前記第１端子部は、前記第１読取部における前記幅方向の他端側に設けられ、
前記第２端子部は、前記第２読取部における前記幅方向の一端側に設けられ、
前記第１配線ケーブルは、前記幅方向の他端側で前記搬送路を迂回し、
前記第１読取部は、前記搬送路に対して上側に位置し、
前記第２読取部及び前記基板は、前記搬送路に対して下側に位置し、
前記搬送路は、前記搬送方向の下流側に向かって下り傾斜し、
前記基板は、前記第２読取部の下側に位置し、
前記第２読取部は、前記搬送方向における前記第１読取部より上流側に位置し、
前記第２配線ケーブルと前記基板とが接続される第２接続部は、前記第１配線ケーブルと前記基板とが接続される第１接続部に対して、前記幅方向の一端側にずれて配置され、

前記第１配線ケーブル及び前記第２配線ケーブルは、前記第１接続部及び前記第２接続部から前記幅方向に互いに離れるように延びていることを特徴とする画像読取装置。
【請求項３】
装置本体と、
前記装置本体内に設けられ、シートを搬送方向に案内する搬送路と、
前記装置本体内に設けられ、前記シートを前記搬送路に沿って搬送する搬送部と、
前記装置本体内において搬送される前記シートの幅方向の一端側に設けられ、前記搬送部を駆動する駆動部と、
前記装置本体内において前記搬送路と対向するように設けられ、前記幅方向の一端側から他端側まで延びて、搬送される前記シートの一方の面の画像を読み取る第１読取部と、
前記装置本体内において前記搬送路を挟んで前記第１読取部とは反対側に設けられ、前記幅方向の一端側から他端側まで延びて、搬送される前記シートの他方の面の画像を読み取る第２読取部と、
前記装置本体内において前記搬送路を挟んで前記第１読取部とは反対側に設けられ、前記第１読取部及び前記第２読取部を制御する基板と、
前記第１読取部に設けられた第１端子部と前記基板とを電気的に接続する第１配線ケーブルと、
前記第２読取部に設けられた第２端子部と前記基板とを電気的に接続する第２配線ケーブルとを備え、
前記第１端子部は、前記第１読取部における前記幅方向の他端側に設けられ、
前記第２端子部は、前記第２読取部における前記幅方向の一端側に設けられ、
前記第１配線ケーブルは、前記幅方向の他端側で前記搬送路を迂回してから前記基板に接続され、
前記第２配線ケーブルは、前記幅方向の一端側で前記基板に接続され、
前記第１読取部は、前記搬送路に対して上側に位置し、
前記第２読取部及び前記基板は、前記搬送路に対して下側に位置し、
前記搬送路は、前記搬送方向の下流側に向かって下り傾斜し、
前記基板は、前記第２読取部の下側に位置し、
前記第２読取部は、前記搬送方向における前記第１読取部より上流側に位置し、
前記第１端子部及び前記第２端子部は、前記第１配線ケーブル及び前記第２配線ケーブルに対して着脱可能なコネクタであり、
前記第１端子部に前記第１配線ケーブルを差し込むための第１挿入口に対して、前記第２端子部に前記第２配線ケーブルを差し込むための第２挿入口が前記搬送方向の上流側に位置していることを特徴とする画像読取装置。
【請求項４】
前記第１端子部は、前記第１読取部における前記搬送方向の下流側に位置し、
前記第２端子部は、前記第２読取部における前記搬送方向の下流側に位置している請求項１乃至３のいずれか１項記載の画像読取装置。
【請求項５】
前記第１読取部と前記第２読取部とは、同一のコンタクトイメージセンサユニットである請求項１乃至４のいずれか１項記載の画像読取装置。
【請求項６】
前記装置本体は、前記搬送路における前記搬送方向の最下流側で、前記搬送路から下方に延びる下壁を有する請求項１乃至５のいずれか１項記載の画像読取装置。
【請求項７】
前記装置本体は、下面が前記搬送路の上面を構成する上部筐体と、上面が前記搬送路の下面を構成する下部筐体とを有し、
前記上部筐体は、前記下部筐体に対して離接可能に設けられ、
前記基板は、前記下部筐体内に設けられている請求項１乃至６のいずれか１項記載の画像読取装置。
【請求項８】
前記第２読取部と対向する第１白基準面と、
前記第１読取部と対向する第２白基準面と、を有する請求項１乃至７のいずれか１項記載の画像読取装置。
【発明の詳細な説明】
【技術分野】
【０００１】
本発明は画像読取装置に関するものである。
【背景技術】
【０００２】
特許文献１に画像読取装置が開示されている。この画像読取装置は、シートを搬送方向に搬送する搬送部と、搬送部により搬送されるシートと対向するように設けられた第１読取部と、搬送されるシートを挟んで第１読取部とは反対側に設けられた第２読取部とを備える。第１読取部及び第２読取部は、搬送されるシートの幅方向の一端側から他端側まで延びている。特許文献１の図１等において、搬送部は、符号２６、２８ａ、２８ｂとして図示されている。第１読取部及び第２読取部は、符号２、３として図示されている。
【０００３】
この画像読取装置では、第１読取部が搬送されるシートの一方の面の画像を読み取り、第２読取部が搬送されるシートの他方の面の画像を読み取るようになっている。
【先行技術文献】
【特許文献】
【０００４】
【特許文献１】特開２００８−２２８０４４号公報
【発明の概要】
【発明が解決しようとする課題】
【０００５】
ところで、上記画像読取装置は、通常、シートを搬送方向に案内する搬送路、搬送部を駆動する駆動部、第１読取部及び第２読取部を制御する基板、第１読取部と基板とを接続する第１配線ケーブル、及び第２読取部と基板とを接続する第２配線ケーブルを備えているはずであるが、特許文献１には、それらについての図示及び説明が殆どなされていない。このため、第１、２読取部、搬送路、駆動部、基板及び第１、２配線ケーブルの相対位置関係については不明である。
【０００６】
このような上記画像読取装置について、搬送されるシートの幅方向の一端側に駆動部が配置され、かつ基板が搬送路を挟んで第１読取部とは反対側、すなわち、第２読取部側に設けられている構成を採用することが考えられる。この場合において、第１配線ケーブル及び第２配線ケーブルの少なくとも一方が駆動部と搬送路との間に割って入るように引き回してしまうと、駆動部と搬送路との間に空きスペースが必要となって、装置が大型化し易いという問題がある。
【０００７】
本発明は、上記実情に鑑みてなされたものであって、装置の小型化を実現できる画像読取装置を提供することを目的とする。
【課題を解決するための手段】
【０００８】
本発明の画像読取装置は、装置本体と、
前記装置本体内に設けられ、シートを搬送方向に案内する搬送路と、
前記装置本体内に設けられ、前記シートを前記搬送路に沿って搬送する搬送部と、
前記装置本体内において搬送される前記シートの幅方向の一端側に設けられ、前記搬送部を駆動する駆動部と、
前記装置本体内において前記搬送路と対向するように設けられ、前記幅方向の一端側から他端側まで延びて、搬送される前記シートの一方の面の画像を読み取る第１読取部と、
前記装置本体内において前記搬送路を挟んで前記第１読取部とは反対側に設けられ、前記幅方向の一端側から他端側まで延びて、搬送される前記シートの他方の面の画像を読み取る第２読取部と、
前記装置本体内において前記搬送路を挟んで前記第１読取部とは反対側に設けられ、前記第１読取部及び前記第２読取部を制御する基板と、
前記第１読取部に設けられた第１端子部と前記基板とを電気的に接続する第１配線ケーブルと、
前記第２読取部に設けられた第２端子部と前記基板とを電気的に接続する第２配線ケーブルとを備え、
前記第１端子部は、前記第１読取部における前記幅方向の他端側に設けられ、
前記第２端子部は、前記第２読取部における前記幅方向の一端側に設けられ、
前記第１配線ケーブルは、前記幅方向の他端側で前記搬送路を迂回してから前記基板に接続され、
前記第２配線ケーブルは、前記幅方向の一端側で前記基板に接続され、
前記第１読取部は、前記搬送路に対して上側に位置し、
前記第２読取部及び前記基板は、前記搬送路に対して下側に位置し、
前記搬送路は、前記搬送方向の下流側に向かって下り傾斜し、
前記基板は、前記第２読取部の下側に位置し、
前記第２読取部は、前記搬送方向における前記第１読取部より上流側に位置し、
前記第１配線ケーブルと前記基板とが接続される第１接続部と、前記第２配線ケーブルと前記基板とが接続される第２接続部とは、前記幅方向にずれて配置され、
前記第１配線ケーブル及び前記第２配線ケーブルは、前記第１接続部及び前記第２接続部から前記幅方向に互いに離れるように延びていることを特徴とする。
本発明の画像読取装置は、装置本体と、
前記装置本体内に設けられ、シートを搬送方向に案内する搬送路と、
前記装置本体内に設けられ、前記シートを前記搬送路に沿って搬送する搬送部と、
前記装置本体内において搬送される前記シートの幅方向の一端側に設けられ、前記搬送部を駆動する駆動部と、
前記装置本体内において前記搬送路と対向するように設けられ、前記幅方向の一端側から他端側まで延びて、搬送される前記シートの一方の面の画像を読み取る第１読取部と、
前記装置本体内において前記搬送路を挟んで前記第１読取部とは反対側に設けられ、前記幅方向の一端側から他端側まで延びて、搬送される前記シートの他方の面の画像を読み取る第２読取部と、
前記装置本体内において前記搬送路を挟んで前記第１読取部とは反対側に設けられ、前記第１読取部及び前記第２読取部を制御する基板と、
前記第１読取部に設けられた第１端子部と前記基板とを電気的に接続する第１配線ケーブルと、
前記第２読取部に設けられた第２端子部と前記基板とを電気的に接続する第２配線ケーブルとを備え、
前記第１端子部は、前記第１読取部における前記幅方向の他端側に設けられ、
前記第２端子部は、前記第２読取部における前記幅方向の一端側に設けられ、
前記第１配線ケーブルは、前記幅方向の他端側で前記搬送路を迂回し、
前記第１読取部は、前記搬送路に対して上側に位置し、
前記第２読取部及び前記基板は、前記搬送路に対して下側に位置し、
前記搬送路は、前記搬送方向の下流側に向かって下り傾斜し、
前記基板は、前記第２読取部の下側に位置し、
前記第２読取部は、前記搬送方向における前記第１読取部より上流側に位置し、
前記第２配線ケーブルと前記基板とが接続される第２接続部は、前記第１配線ケーブルと前記基板とが接続される第１接続部に対して、前記幅方向の一端側にずれて配置され、
前記第１配線ケーブル及び前記第２配線ケーブルは、前記第１接続部及び前記第２接続部から前記幅方向に互いに離れるように延びていることを特徴とする。
本発明の画像読取装置は、装置本体と、
前記装置本体内に設けられ、シートを搬送方向に案内する搬送路と、
前記装置本体内に設けられ、前記シートを前記搬送路に沿って搬送する搬送部と、
前記装置本体内において搬送される前記シートの幅方向の一端側に設けられ、前記搬送部を駆動する駆動部と、
前記装置本体内において前記搬送路と対向するように設けられ、前記幅方向の一端側から他端側まで延びて、搬送される前記シートの一方の面の画像を読み取る第１読取部と、
前記装置本体内において前記搬送路を挟んで前記第１読取部とは反対側に設けられ、前記幅方向の一端側から他端側まで延びて、搬送される前記シートの他方の面の画像を読み取る第２読取部と、
前記装置本体内において前記搬送路を挟んで前記第１読取部とは反対側に設けられ、前記第１読取部及び前記第２読取部を制御する基板と、
前記第１読取部に設けられた第１端子部と前記基板とを電気的に接続する第１配線ケーブルと、
前記第２読取部に設けられた第２端子部と前記基板とを電気的に接続する第２配線ケーブルとを備え、
前記第１端子部は、前記第１読取部における前記幅方向の他端側に設けられ、
前記第２端子部は、前記第２読取部における前記幅方向の一端側に設けられ、
前記第１配線ケーブルは、前記幅方向の他端側で前記搬送路を迂回してから前記基板に接続され、
前記第２配線ケーブルは、前記幅方向の一端側で前記基板に接続され、
前記第１読取部は、前記搬送路に対して上側に位置し、
前記第２読取部及び前記基板は、前記搬送路に対して下側に位置し、
前記搬送路は、前記搬送方向の下流側に向かって下り傾斜し、
前記基板は、前記第２読取部の下側に位置し、
前記第２読取部は、前記搬送方向における前記第１読取部より上流側に位置し、
前記第１端子部及び前記第２端子部は、前記第１配線ケーブル及び前記第２配線ケーブルに対して着脱可能なコネクタであり、
前記第１端子部に前記第１配線ケーブルを差し込むための第１挿入口に対して、前記第２端子部に前記第２配線ケーブルを差し込むための第２挿入口が前記搬送方向の上流側に位置していることを特徴とする。
【０００９】
本発明の画像読取装置では、第１配線ケーブルは、搬送されるシートの幅方向の他端側、すなわち、駆動部から離れた側で搬送路を迂回してから基板に接続されている。また、第２配線ケーブルは、幅方向の一端側で、搬送路と駆動部との間に割って入ることなく、そのまま基板に接続されている。これにより、搬送路と駆動部との間を介して第１配線ケーブル及び第２配線ケーブルの少なくとも一方を基板まで引き回す場合と比較して、第１配線ケーブル及び第２配線ケーブルの引き回しを簡素化でき、第１配線ケーブル及び第２配線ケーブルの少なくとも一方の引き回しのために搬送路と駆動部との間に確保すべき空きスペースが不要となる。
【００１０】
したがって、本発明の画像読取装置は、装置の小型化を実現できる。
【００１１】
本発明の画像読取装置において、第１端子部は、第１読取部における搬送方向の下流側に位置していることが望ましい。また、第２端子部は、第２読取部における搬送方向の下流側に位置していることが望ましい。この構成によれば、第１端子部及び第２端子部に対して同じ方向から第１配線ケーブル及び第２配線ケーブルを接続できるので、第１配線ケーブル及び第２配線ケーブルの引き回しを簡素化できる。また、接続方向が異なる場合と比較して、第１配線ケーブル及び第２配線ケーブルの第１端子部及び第２端子部に対する接続作業が容易になる。
【００１２】
本発明の画像読取装置において、第１読取部と第２読取部とは、同一のコンタクトイメージセンサユニットであることが望ましい。この構成によれば、第１読取部と第２読取部とを共通部品とすることにより、部品点数を削減できる。
【００１３】
本発明の画像読取装置において、第１読取部は、搬送路に対して上側に位置している。また、第２読取部及び基板は、搬送路に対して下側に位置している。このような具体的構成によれば、本発明の作用効果を確実に奏することができる。
【００１４】
本発明の画像読取装置において、搬送路は、搬送方向の下流側に向かって下り傾斜している。また、基板は、第２読取部の下側に位置している。さらに、第２読取部は、搬送方向における第１読取部より上流側に位置している。この構成によれば、第２読取部を第１読取部に上下方向で接近させることができるので、装置の高さを小さくできる。
【００１５】
上記の場合において、装置本体は、搬送路における搬送方向の最下流側で、搬送路から下方に延びる下壁を有することが望ましい。この構成によれば、下壁により、搬送路における搬送方向の最下流側に高さが確保される。これにより、搬送されるシートが下り傾斜したまま、搬送方向の最下流側から装置本体の外側にスムーズに排出され易い。また、搬送方向における第１読取部より上流側に位置する第２読取部は、下壁に対しても、搬送方向の上流側に離れる。これにより、下壁と第２読取部との間に、第２端子部に第２配線ケーブルを接続するためのスペースを広く確保できる。
【００１６】
本発明の画像読取装置において、第１配線ケーブルと基板とが接続される第１接続部と、第２配線ケーブルと基板とが接続される第２接続部とは、幅方向にずれて配置されている。そして、第１配線ケーブル及び第２配線ケーブルは、第１接続部及び第２接続部から幅方向に互いに離れるように延びている。この構成によれば、第１配線ケーブル及び第２配線ケーブルの引き回しが干渉し難い。
【００１７】
本発明の画像読取装置において、第１端子部及び第２端子部は、第１配線ケーブル及び第２配線ケーブルに対して着脱可能なコネクタである。そして、第１端子部に第１配線ケーブルを差し込むための第１挿入口に対して、第２端子部に第２配線ケーブルを差し込むための第２挿入口が搬送方向の上流側に位置している。この構成によれば、第２配線ケーブルを第２端子部に接続するスペースを確保し易い。
【００１８】
本発明の画像読取装置において、装置本体は、下面が搬送路の上面を構成する上部筐体と、上面が搬送路の下面を構成する下部筐体とを有することが望ましい。そして、上部筐体は、下部筐体に対して離接可能に設けられていることが望ましい。また、基板は、下部筐体内に設けられていることが望ましい。上部筐体に基板が設けられると、上部筐体が大型化し、大きなものを下部筐体に対して離接する構成となり、上部筐体の離接、即ち開閉が困難となる。この点、上記構成によれば、下部筐体に基板があるため、上部筐体の離接がし易い。
【００１９】
本発明の画像読取装置は、第２読取部と対向する第１白基準面と、第１読取部と対向する第２白基準面と、を有することが望ましい。この構成によれば、第１読取部、及び第２読取部についてシェーディング補正を行う際に、各々、第２白基準面、及び第１白基準面を白色の基準とすることができる。
【図面の簡単な説明】
【００２０】
【図１】本発明の画像読取装置を具体化した一実施例の画像読取装置１の主に前方を示す斜視図である。
【図２】上記実施例の供給トレイ５０及び上部カバー９３が開かれた状態において、画像読取装置１の主に前方を示す斜視図である。
【図３】上記実施例の供給トレイ５０、上部カバー９３及び排出トレイ６が開かれた状態において、画像読取装置１の主に後方を示す斜視図である。
【図４】上記画像読取装置１の側面図である。
【図５】上記画像読取装置１の要部拡大断面図である。
【図６】上記画像読取装置１に係り、駆動部３０、ロアシュート６０、基板カバー９７、基板５、第１配線ケーブル１１０及び第２配線ケーブル２１０等を抜き出して、主に下方から見上げた状態を示す斜視図である。
【図７】上記画像読取装置１に係り、第１読取部１００、第２読取部２００、基板５、第１配線ケーブル１１０及び第２配線ケーブル２１０等を抜き出して、主に下方から見上げた状態を示す斜視図である。
【図８】上記画像読取装置１に係り、第１読取部１００、第２読取部２００、基板５、第１配線ケーブル１１０及び第２配線ケーブル２１０等を抜き出して、主に下方、かつ右方から見上げた状態を示す斜視図である。
【図９】上記画像読取装置１に係り、上部カバー９３内における第１配線ケーブル１１０の引き回し状態を示す斜視図である。
【図１０】上記画像読取装置１に係り、基板カバー９７を取り除いて、第２配線ケーブル２１０の引き回し状態を示す斜視図である。
【図１１】上記画像読取装置１に係り、（ａ）は第１読取部１００及び第２読取部２００を読取面１００Ａ、２００Ａ側から見た平面図であり、（ｂ）は第１読取部１００及び第２読取部２００を読取面１００Ａ、２００Ａとは反対側から見た平面図である。
【図１２】上記画像読取装置１に係り、（ａ）は実施例の第１読取部１００及び第２読取部２００の相対位置関係を示す説明図であり、（ｂ）は比較例の第１読取部１００及び第２読取部２００の相対位置関係を示す説明図である。
【発明を実施するための形態】
【００２１】
以下、本発明を具体化した実施例を、図面を参照しつつ説明する。
【００２２】
（実施例）
図１に示すように、本実施例の画像読取装置１は、本発明の画像読取装置の具体的態様の一例である。図１では、排出トレイ６側を装置の前側と規定し、排出トレイ６に対向した場合に左手に来る側を左側と規定して、前後、左右及び上下の各方向を表示する。そして、図２以降に示す各方向は、全て図１に示す各方向に対応させて表示する。以下、図１等に基づいて、画像読取装置１が備える各構成要素について説明する。
【００２３】
＜構成＞
画像読取装置１は、図１〜図４に示すように、筐体８と、供給トレイ５０と、排出トレイ６とを備える。図４に示すように、筐体８内には、供給トレイ５０から排出トレイ６にまでシート９が搬送される搬送路Ｐ１が設けられている。
【００２４】
筐体８は、上部カバー９３、背面部カバー９０及び左右のサイドカバー９５Ｌ、９５Ｒと、それらに覆われた内部フレーム等とを有する箱状体である。内部フレームは、図３及び図５等に示すロアシュート６０、図５及び図６等に示す基板カバー９７、及び図示しないフレーム部材等が組み合わされてなる。筐体８は、本発明の「装置本体」の一例である。上部カバー９３は、本発明の「上部筐体」の一例である。ロアシュート６０及び基板カバー９７は、本発明の「下部筐体」の一例である。
【００２５】
図５等に示すように、通常、上部カバー９３は、後方に向かって上り傾斜している。上部カバー９３は、ロアシュート６０に対して上方から対向する上側ガイド９４を有する。上部カバー９３の上側ガイド９４の下面は、搬送路Ｐ１の上面を構成する上側案内面９４Ａとされている。図２及び図３に示すように、シート詰まりやメンテナンスの際には、上部カバー９３は、後端縁側が上方に持ち上がるように揺動し、ロアシュート６０に対して上方に離間する。これにより、後述するロアシュート６０の下側ガイド６１、供給ローラ７１及び搬送ローラ７２等が筐体８の外部に露出する。
【００２６】
供給トレイ５０は、一方の面が載置面５１とされた平板形状である。供給トレイ５０の左右の角部には、一対のヒンジ部５０Ｌ、５０Ｒが一体に形成されている。供給トレイ５０は、両ヒンジ部５０Ｌ、５０Ｒを介して、筐体８の後方かつ上方に位置して左右方向に延びる揺動軸心Ｘ１周りに揺動可能に筐体８に支持されている。
【００２７】
図１に示すように、供給トレイ５０が閉じられている場合、供給トレイ５０は、載置面５１を下方に向けて、筐体８の上部カバー９３に対して上方から覆いかぶさっている。図１に示す供給トレイ５０の位置を「収容位置」とする。
【００２８】
そして、供給トレイ５０は、図１に示す状態から揺動軸心Ｘ１周りに揺動して開かれることにより、図２〜図４に示すように、筐体８の後ろ側で載置面５１を上方に向ける位置に変位する。図２等に示す供給トレイ５０の位置を「使用位置」とする。
【００２９】
図４に示すように、供給トレイ５０が使用位置にある場合、載置面５１にシート９が載置される。載置面５１に載置されたシート９は、供給トレイ５０から排出トレイ６に向かう方向である搬送方向Ｄ１に搬送されて、搬送路Ｐ１に案内されるようになっている。
【００３０】
本実施例では、搬送方向Ｄ１に沿って搬送されるシート９の幅方向とは、左右方向である。また、本実施例では、搬送方向Ｄ１に沿って搬送されるシート９の幅方向の一端側とは、筐体８内における左側である。さらに、本実施例では、搬送方向Ｄ１に沿って搬送されるシート９の幅方向の他端側とは、筐体８内における右側である。
【００３１】
図２及び図３に示すように、ロアシュート６０は、平板形状の下側ガイド６１と、下側ガイド６１を左右から挟む側壁部６０Ｌ、６０Ｒとを有する。下側ガイド６１は、左右方向に延び、かつ筐体８の背面側から排出トレイ６まで下り傾斜で延びている。図５に示すように、下側ガイド６１の上面は、上部カバー９３の上側案内面９４Ａに対して下方から対向している。下側ガイド６１の上面は、搬送路Ｐ１の下面を構成する下側案内面６１Ａとされている。図２等に示すように、供給トレイ５０が使用位置にある場合、下側案内面６１Ａは、載置面５１に連続する傾斜面を構成する。
【００３２】
図６に示すように、左側の側壁部６０Ｌは、前後方向かつ上下方向に延びて下側ガイド６１を左側から補強している。図示は省略するが、右側の側壁部６０Ｒも左側の側壁部６０Ｌと同様の形状であり、下側ガイド６１を右側から補強している。
【００３３】
図５及び図６に示すように、基板カバー９７は、平板形状の基板カバー本体９８と、基板カバー本体９８を左右から挟む側壁部９７Ｌ、９７Ｒとを有する。基板カバー本体９８は、ロアシュート６０の下側ガイド６１に対して下方に離間して、前後方向及び左右方向に延びている。基板カバー本体９８の前端縁側は、下側ガイド６１の前端縁側に沿って下方に下り傾斜する傾斜部９８Ａとされている。図５に示すように、基板カバー本体９８の後方には、上方に向けて箱状に膨出する電源カバー９８Ｂが一体に形成されている。
【００３４】
図６に示すように、側壁部９７Ｌ、９７Ｒは、前後方向に延びて基板カバー本体９８を左右から挟むように補強している。基板カバー９７の左側の側壁部９７Ｌは、ロアシュート６０の左側の側壁部６０Ｌに対して下方から組み付けられて、図示しない締結ねじにより固定されている。基板カバー９７の右側の側壁部９７Ｒも、ロアシュート６０の右側の側壁部６０Ｒに対して下方から組み付けられて、図示しない締結ねじにより固定されている。こうして、ロアシュート６０と基板カバー９７とが強固に結合されることにより、剛性の高い下部筐体が構成される。なお、図示は省略するが、背面部カバー９０も、ロアシュート６０及び基板カバー９７に結合されることにより、下部筐体を補強している。
【００３５】
また、画像読取装置１は、図２等に示すように、左右一対の幅規制ガイド５７Ｌ、５７Ｒを備える。幅規制ガイド５７Ｌ、５７Ｒは、載置面５１上から下側案内面６１Ａ上まで、搬送方向Ｄ１と平行にリブ状に延びている。幅規制ガイド５７Ｌ、５７Ｒの搬送方向Ｄ１の中間部には、連結部５６Ｌ、５６Ｒが設けられている。連結部５６Ｌ、５６Ｒは、供給トレイ５０が収容位置又は使用位置に変位する場合、幅規制ガイド５７Ｌ、５７Ｒが揺動軸心Ｘ１周りに折れ曲がり、又は展開することを許容する。
【００３６】
左右の幅規制ガイド５７Ｌ、５７Ｒは、センター基準で左右方向に互いに接近又は離反可能とされている。これにより、幅規制ガイド５７Ｌ、５７Ｒは、例えば、名刺サイズからＡ４サイズまでの複数サイズのシート９が載置面５１に載置される場合に、そのシート９の左右方向の位置決めをすることができる。
【００３７】
排出トレイ６は、図１、図３及び図４に示すように、筐体８に対して引き出し及び収容可能に設けられている。図１に示すように、排出トレイ６が筐体８に収容されている場合、排出トレイ６の前端面のみが外部に露出した状態となっている。そして、排出トレイ６が筐体８から引き出されると、図３及び図４に示すように、排出トレイ６は、筐体８の前方で排出面６Ａを、上方に向けた状態となる。
【００３８】
また、画像読取装置１は、図４及び図５に示すように、筐体８の内部に、電源ユニット３と、基板５とを備える。また、画像読取装置１は、図６に示すように、筐体８の内部に、駆動部３０を備える。また、画像読取装置１は、図５に示すように、筐体８の内部に、搬送部７０と、第１読取部１００と、第２読取部２００とを備える。また、画像読取装置１は、図５〜図１０に示すように、第１配線ケーブル１１０と、第２配線ケーブル２１０とを備える。
【００３９】
図４に示すように、電源ユニット３は、筐体８内の背面側に設けられている。電源ユニット３は、家庭用コンセントの高圧の交流電圧を低圧の直流電圧に変換して、基板５等に給電するＡＣアダプタである。電源ユニット３は、筐体８内において、電源カバー９８Ｂにより、前方、上方及び左右の側方を覆われている。また、電源ユニット３は、背面部カバー９０により後方から覆われている。
【００４０】
図６に示すように、電源ユニット３のコンセント端子３Ｅは、基板カバー９７の右側の側壁部９７Ｒに隣接するように、基板カバー本体９８の後端縁側の下方に配設されている。図３に示すように、背面部カバー９０には、筐体８内のコンセント端子３Ｅに対面するように接続穴９０Ｅが設けられている。家庭用コンセントと電源ユニット３とを電気的に接続する電源ケーブル９９の一端側は、接続穴９０Ｅを介してコンセント端子３Ｅに嵌入される。
【００４１】
図５に示すように、基板５は、筐体８内において、電源ユニット３の下方に設けられている。図５及び図６に示すように、基板カバー９７の基板カバー本体９８は、基板５の上方に位置して、基板５全体を覆っている。基板カバー本体９８の前方の傾斜部９８Ａは、基板５の前端縁よりも前方で下り傾斜している。また、基板カバー９７の側壁部９７Ｌ、９７Ｒは、基板５を左右から挟むように位置している。こうして、基板カバー本体９８は、基板カバー本体９８及び側壁部９７Ｌ、９７Ｒにより、上方、前方及び左右の側方から覆われている。
【００４２】
基板５は、図示しない電気配線により、電源ユニット３と電気的に接続されている。また、基板５は、図示しない電気配線により、後述する駆動部３０を構成する図示しない電動モータと電気的に接続されている。また、基板５は、後述する通り、第１配線ケーブル１１０及び第２配線ケーブル２１０により、第１読取部１００及び第２読取部２００と電気的に接続されている。
【００４３】
図６に示すように、基板５の下面における後端縁側の右方には、ＵＳＢコネクタ５Ｅが配設されている。図３に示すように、背面部カバー９０には、筐体８内のＵＳＢコネクタ５Ｅに対面するように接続穴９０Ｆが設けられている。コンピュータ端末やＬＡＮ等のネットワーク機器とＵＳＢコネクタ５Ｅとを電気的に接続するＵＳＢ接続ケーブル５９９の一端側は、接続穴９０Ｆを介してＵＳＢコネクタ５Ｅに嵌入される。
【００４４】
基板５の下面における前端縁側の中央には、第１接続部５１５が配設され、第１接続部５１５の左方には、第２接続部５２５が配設されている。第１接続部５１５及び第２接続部５２５は、フレキシブルフラットケーブルの端部に対して着脱可能なコネクタである。第１接続部５１５には、後述する第１配線ケーブル１１０の基板側端部１１０Ａが接続される。第２接続部５２５には、後述する第２配線ケーブル２１０の基板側端部２１０Ａが接続される。
【００４５】
なお、基板５には、上述したものの他、多数の回路素子や配線パターン等が配設されているが、図示を省略している。
【００４６】
図６に示すように、駆動部３０は、筐体８内において搬送されるシート９の幅方向の一端側、すなわち筐体８内における左側に設けられている。より詳しくは、駆動部３０は、図６に示すように、ロアシュート６０の左側の側壁部６０Ｌに回転可能に支持されて、互いに噛み合う複数個のギヤ等を有する。駆動部３０が基板５に制御されることにより、複数個のギヤの一つに連結された図示しない電動モータが回転し、その回転が各ギヤに伝達されて、それぞれが回転するようになっている。
【００４７】
図５に示すように、搬送部７０は、搬送方向Ｄ１の上流側から下流側に向かって順番に、供給ローラ７１と、分離パッド７９と、搬送ローラ７２と、排出ローラ７３とを有する。
【００４８】
供給ローラ７１は、ロアシュート６０に組み付けられており、搬送路Ｐ１の下側ガイド６１に位置している。供給ローラ７１の回転軸７１Ｓは、左方に延びて、駆動部３０を構成する複数個のギヤの一つに連結されている。これにより、供給ローラ７１は、駆動部３０に駆動されて、載置面５１に載置されたシート９に当接しつつ回転することにより、そのシート９を搬送方向Ｄ１に送り出すようになっている。
【００４９】
図３及び図５に示すように、分離パッド７９は、上部カバー９３に組み付けられており、搬送路Ｐ１の上側ガイド９４に位置している。分離パッド７９は、ゴムやエラストマー等の摩擦部材からなる板状体である。図５に示すように、分離パッド７９は、供給ローラ７１に対向し、図示しない付勢部材に付勢されて、供給ローラ７１に押し付けられている。これにより、分離パッド７９は、搬送路Ｐ１において搬送されるシート９を供給ローラ７１と挟んで一枚ずつ分離するようになっている。
【００５０】
搬送ローラ７２及び排出ローラ７３はそれぞれ、ロアシュート６０に組み付けられており、搬送路Ｐ１の下側ガイド６１に位置している。搬送ローラ７２の回転軸７２Ｓ及び排出ローラ７３の回転軸７３Ｓも、それぞれ左方に延びて、駆動部３０を構成する複数個のギヤの一つに連結されている。これにより、搬送ローラ７２及び排出ローラ７３は、駆動部３０に駆動されて、供給ローラ７１と同期回転する。
【００５１】
搬送ローラ７２の上方には、従動ローラ７２Ａが搬送ローラ７２と対向するように設けられている。従動ローラ７２Ａは、上部カバー９３に組み付けられており、搬送路Ｐ１の上側ガイド９４に位置している。従動ローラ７２Ａは、図示しない付勢部材に付勢されて、搬送ローラ７２に押し付けられている。これにより、搬送ローラ７２は、搬送路Ｐ１において搬送されるシート９を従動ローラ７２Ａと挟んで回転し、搬送方向Ｄ１の下流側に搬送するようになっている。
【００５２】
排出ローラ７３の上方には、従動ローラ７３Ａが排出ローラ７３と対向するように設けられている。従動ローラ７３Ａは、上部カバー９３に組み付けられており、搬送路Ｐ１の上側ガイド９４に位置している。従動ローラ７３Ａは、図示しない付勢部材に付勢されて、排出ローラ７３に押し付けられている。これにより、排出ローラ７３は、搬送路Ｐ１において搬送されるシート９を従動ローラ７３Ａと挟んで回転し、搬送方向Ｄ１の下流側の排出トレイ６に排出するようになっている。
【００５３】
図５及び図６に示すように、ロアシュート６０の下側ガイド６１は、前方に向かって下り傾斜で排出ローラ７３まで延びている。そして、ロアシュート６０は、下側ガイド６１の前端縁に連続し、搬送路Ｐ１から下方に延びる下壁６９を有する。この下壁６９により、排出ローラ７３の排出面６Ａに対する高さが充分に確保されている。
【００５４】
図５等に示すように、第１読取部１００及び第２読取部２００は、搬送方向Ｄ１における搬送ローラ７２より下流側、かつ排出ローラ７３より上流側に位置している。第１読取部１００は、上部カバー９３に組み付けられており、搬送路Ｐ１の上側ガイド９４に位置している。第１読取部１００は、読取面１００Ａを搬送路Ｐ１に向けている。第２読取部２００は、ロアシュート６０に組み付けられており、搬送路Ｐ１の下側ガイド６１に位置している。第２読取部２００は、読取面２００Ａを搬送路Ｐ１に向けている。すなわち、第１読取部１００及び第２読取部２００は、搬送路Ｐ１を上下方向から挟むように対向している。また、第２読取部２００は、基板５及び基板カバー９７の上側に位置している。
【００５５】
本実施例では、第１読取部１００及び第２読取部２００として、コンタクトイメージセンサユニットが採用されている。図７及び図８に示すように、第１読取部１００及び第２読取部２００は、筐体８内における左側から右側まで延びている。
【００５６】
図１１（ａ）及び（ｂ）に示すように、第１読取部１００と第２読取部２００とは、同一のコンタクトイメージセンサユニットである。図７及び図８に示す第１読取部１００の左端１００Ｌと第２読取部２００の右端２００Ｒとを、図１１（ａ）及び（ｂ）において紙面右側に配置し、図７及び図８に示す第１読取部１００の右端１００Ｒと第２読取部２００の左端２００Ｌとを、図１１（ａ）及び（ｂ）において紙面左側に配置することにより、第１読取部１００と第２読取部２００とで図面を共用している。
【００５７】
図１１（ａ）に示すように、第１読取部１００及び第２読取部２００はそれぞれ、読取面１００Ａ、２００Ａ側に、光源部１０１、２０１、導光板１０２、２０２及び読取ライン１０３、２０３を有する。
【００５８】
光源部１０１は、第１読取部１００の右端１００Ｒ側に位置している。光源部２０１は、第２読取部２００の左端２００Ｌ側に位置している。光源部１０１、２０１はそれぞれ、赤色、緑色及び青色の３色のＬＥＤを有する。
【００５９】
図１１（ａ）に示すように、導光板１０２及び読取ライン１０３は、第１読取部１００の左端１００Ｌ側から右端１００Ｒ側まで細長く延びている。図５に示すように、読取ライン１０３は、搬送方向Ｄ１における導光板１０２より下流側に位置している。第１読取部１００は、光源部１０１の各色のＬＥＤを時分割で点灯させ、導光板１０２を通して左右方向に延びるライン状の光を搬送されるシート９の上面９Ａに照射する。そして、その反射光を読取ライン１０３、２０３が有するロッドレンズアレイによりラインセンサに集光して、搬送されるシート９の上面９Ａの画像をライン状に読み取る。
【００６０】
図１１（ａ）に示すように、導光板２０２及び読取ライン２０３は、第２読取部２００の左端２００Ｌ側から右端２００Ｒ側まで細長く延びている。図５に示すように、読取ライン２０３は、搬送方向Ｄ１における導光板２０２より下流側に位置している。第２読取部２００は、光源部２０１の各色のＬＥＤを時分割で点灯させ、導光板２０２を通して左右方向に延びるライン状の光を搬送されるシート９の下面９Ｂに照射する。そして、その反射光を読取ライン２０３が有するロッドレンズアレイによりラインセンサに集光して、搬送されるシート９の下面９Ｂの画像をライン状に読み取る。
【００６１】
図１１（ｂ）に示すように、第１読取部１００における読取面１００Ａとは反対側の右端１００Ｒ側には、第１端子部１０５が設けられている。図５に示すように、第１端子部１０５は、第１読取部１００における搬送方向Ｄ１の下流側に位置している。第１端子部１０５は、フレキシブルフラットケーブルの端部に対して着脱可能なコネクタである。第１端子部１０５には、後述する第１配線ケーブル１１０の第１読取部側端部１１０Ｂが接続される。読取ライン１０３が読み取った信号は、第１端子部１０５から出力される。
【００６２】
図１１（ｂ）に示すように、第２読取部２００における読取面２００Ａとは反対側の左端２００Ｌ側には、第２端子部２０５が設けられている。図５に示すように、第２端子部２０５は、第２読取部２００における搬送方向Ｄ１の下流側に位置している。第２端子部２０５は、第１端子部１０５と同様に、フレキシブルフラットケーブルの端部に対して着脱可能なコネクタである。第２端子部２０５には、後述する第２配線ケーブル２１０の第２読取部側端部２１０Ｂが接続される。読取ライン２０３が読み取った信号は、第２端子部２０５から出力される。
【００６３】
図７及び図８に示す第１読取部１００の姿勢について、前記方向に延びる回転軸周りに１８０°回転させる。そうすると、下方を向く読取面１００Ａが上方を向く。また、右端１００Ｒが左側に、かつ左端１００Ｌが右側に来る。そうすると、第１読取部１００は、第２読取部２００と同じ姿勢となる。このように、第１読取部１００と第２読取部２００とは、同一のコンタクトイメージセンサユニットを採用することにより、部品が共通化されている。
【００６４】
図５に示すように、第２読取部２００は、搬送方向Ｄ１における第１読取部１００より上流側に位置している。これにより、第２読取部２００は、下壁６９に対して後方に離間しており、双方の間に空きスペースが確保されている。
【００６５】
画像読取装置１は、上側搬送面９４Ａとともに搬送路Ｐ１の上面を構成する透明板１５１と、透明板１５１の搬送路Ｐ１とは反対側を向く面に添うように設けられた第１白基準面１５０とを有する。第１白基準面１５０は、第２読取部２００と対向している。また、画像読取装置１は、下側搬送面６１Ａとともに搬送路Ｐ１の下面を構成する透明板２５１と、透明板２５１の搬送路Ｐ１とは反対側を向く面に添うように設けられた第２白基準面２５０とを有する。第２白基準面２５０は、第１読取部１００と対向している。第１白基準面１５０及び第２白基準面２５０は、第１読取部１００及び第２読取部２００についてシェーディング補正を行う際に、白色の基準となるものである。
【００６６】
図６〜図１０に示すように、第１配線ケーブル１１０及び第２配線ケーブル２１０は、複数本の被覆電線が帯状に束ねられてなるフレキシブルフラットケーブルである。なお、図８では、第１配線ケーブル１１０及び第２配線ケーブル２１０の引き回し状態を見易くするため、第１配線ケーブル１１０及び第２配線ケーブル２１０の長さを実際より長く図示している。また、図９では、上部カバー９３を構成する上側ガイド９４を図示し、上部カバー９３のその他の部分については図示を省略している。さらに、図１０では、基板５と、ロアシュート６０との間に位置する基板カバー９７の図示を省略している。
【００６７】
図６〜図８に示すように、第１配線ケーブル１１０の基板側端部１１０Ａは、基板５の第１接続部５１５に接続されている。
【００６８】
第１配線ケーブル１１０は、基板側端部１１０Ａから前方に延びた後、斜め４５°の角度で折り曲げられて右方に延びる。次に、基板カバー９７の右側の側壁部９７Ｒの近くにおいて、斜め４５°の角度で折り曲げられて前方に延びた後、ロアシュート６０の右側の側壁部６０Ｒに形成されたガイド穴６０Ｃに進入し、上方に向きを変える。次に、図８及び図９に示すように、ガイド穴６０Ｃの上方で後方に向きを変えて上部カバー９３内に進入する。次に、斜め４５°の角度で折り曲げられて左方に短く延びた後、さらに、斜め４５°の角度で折り曲げられて後方に延びる。次に、下向きに１８０°の角度で折り曲げられて後方に延びた後、さらに、下向きに１８０°の角度で折り曲げられて前方に延びる。
【００６９】
図５に示すように、上部カバー９３の上側ガイド９４には、第１読取部１００を収容する第１凹部９４Ｄが形成されている。そして、第１凹部９４Ｄにおける第１端子部１０５の上方かつ前方には、第１挿入口９４Ｇが開口している。図５及び図８に示すように、第１配線ケーブル１１０の第１読取部側端部１１０Ｂは、第１挿入口９４Ｇに介して前方に延びて、第１端子部１０５に装着されている。
【００７０】
すなわち、第１配線ケーブル１１０は、第１読取部１００の右端１００Ｒ側であって駆動部３０から離れた側で搬送路Ｐ１を迂回して、第１読取部１００の第１端子部１０５と、基板５の第１接続部５１５とを電気的に接続している。
【００７１】
図６〜図８及び図１０に示すように、第２配線ケーブル２１０の基板側端部２１０Ａは、基板５の第２接続部５２５に接続されている。
【００７２】
第２配線ケーブル２１０は、図６及び図７等に示すように、基板側端部２１０Ａから前方に延びた後、斜め４５°の角度で折り曲げられて左方に延びる。すなわち、第１配線ケーブル１１０及び第２配線ケーブル２１０は、左右方向にずれて配置された第１接続部５２５及び第２接続部５２５から、左右方向に互いに離れるように延びている。
【００７３】
次に、第２配線ケーブル２１０は、基板カバー９７の左側の側壁部９７Ｌの近くにおいて、斜め４５°の角度で折り曲げられて前方に延びた後、下壁６９の近くで上向きに１８０°の角度で折り曲げられて後方に延びる。
【００７４】
図５に示すように、ロアシュート６０の下側ガイド６１には、第２読取部２００を収容する第２凹部６１Ｄが形成されている。そして、第２凹部６１Ｄにおける第２端子部２０５の下方かつ前方には、第２挿入口６１Ｇが開口している。図５、図７及び図１０に示すように、第２配線ケーブル２１０の第２読取部側端部２１０Ｂは、第２挿入口６１Ｇに介して前方に延びて、第２端子部２０５に装着されている。
【００７５】
すなわち、第２配線ケーブル２１０は、筐体８内における左側で、搬送路Ｐ１と駆動部３０との間に割って入ることなく、そのまま延びて、第２読取部２００の第２端子部２０５と、基板５の第２接続部５２５とを電気的に接続している。
【００７６】
図５に示すように、第２挿入口６１Ｇは、第１挿入口９４Ｇに対して、搬送方向Ｄ１の上流側に位置している。これにより、図１０に示すように、第２挿入口６１Ｇは、下壁６９に対して後方に離間しており、双方の間に空きスペースが確保されている。
【００７７】
＜画像読取動作＞
上記構成である画像読取装置１では、以下のようにして、シート９の画像を読み取る。すなわち、基板５に制御されて、駆動部３０が駆動を開始すると、供給ローラ７１が分離パッド７９とシート９を挟みながら回転して載置面５１上のシート９を搬送方向Ｄ１に搬送する。この際、複数枚のシート９が重なった状態で搬送されようとしている場合、分離パッド７９とシート９との間、及びシート９とシート９との間に摩擦力が作用することにより、シート９が一枚ずつ分離される。次に、搬送ローラ７２が一枚ずつ分離されたシート９を第１読取部１００及び第２読取部２００に向けて搬送する。
【００７８】
第１読取部１００及び第２読取部２００は、基板５に制御されて上述した画像読取動作を行うことにより、そのシート９の上面９Ａ及び下面９Ｂの画像を読み取る。第１読取部１００及び第２読取部２００の出力信号は、第１配線ケーブル１１０及び第２配線ケーブル２１０を介して、基板５に伝達される。そして、基板５において、その出力信号を画像データ化する。そして、排出ローラ７３が画像を読み取られたシート９を排出トレイ６に排出する。
【００７９】
＜作用効果＞
実施例の画像読取装置１では、第１配線ケーブル１１０は、搬送されるシート９の幅方向の他端側、すなわち筐体８内における右側であって駆動部３０から離れた側で搬送路Ｐ１を迂回して、第１読取部１００の第１端子部１０５と、基板５の第１接続部５１５とを電気的に接続している。また、第２配線ケーブル２１０は、搬送されるシート９の幅方向の一端側、すなわち筐体８内における左側で、搬送路Ｐ１と駆動部３０との間に割って入ることなく、そのまま延びて、第２読取部２００の第２端子部２０５と、基板５の第２接続部５２５とを電気的に接続している。これにより、仮に、搬送路Ｐ１と駆動部３０との間を介して第１配線ケーブル１１０及び第２配線ケーブル２１０の少なくとも一方を基板５まで引き回す場合と比較して、第１配線ケーブル１１０及び第２配線ケーブル２１０の引き回しを簡素化でき、第１配線ケーブル１１０及び第２配線ケーブル２１０の少なくとも一方の引き回しのために搬送路Ｐ１と駆動部３０との間に確保すべき空きスペースが不要となる。
【００８０】
したがって、実施例の画像読取装置１は、装置の小型化を実現できる。
【００８１】
また、この画像読取装置１において、第１端子部１０５は、第１読取部１００における搬送方向Ｄ１の下流側に位置している。また、第２端子部２０５は、第２読取部２００における搬送方向Ｄ１の下流側に位置している。この構成によれば、第１端子部１０５及び第２端子部２０５に対して同じように前方から後方に向かって第１配線ケーブル１１０及び第２配線ケーブル２１０を接続できるので、第１配線ケーブル１１０及び第２配線ケーブル２１０の引き回しを簡素化できる。また、接続方向が異なる場合と比較して、第１配線ケーブル１１０及び第２配線ケーブル２１０の第１端子部１０５及び第２端子部２０５に対する接続作業が容易になる。
【００８２】
さらに、この画像読取装置１において、第１読取部１００と第２読取部２００とは、同一のコンタクトイメージセンサユニットである。この構成によれば、第１読取部１００と第２読取部２００とが共通部品となっているので、部品点数を削減できる。
【００８３】
また、この画像読取装置１において、第１読取部１００は、搬送路Ｐ１に対して上側に位置している。また、第２読取部２００及び基板５は、搬送路Ｐ１に対して下側に位置している。このような具体的構成によれば、本発明の作用効果を確実に奏することができる。
【００８４】
さらに、この画像読取装置１において、搬送路Ｐ１は、搬送方向Ｄ１の下流側に向かって下り傾斜している。また、基板５は、第２読取部２００の下側に位置している。さらに、第２読取部２００は、搬送方向Ｄ１における第１読取部１００より上流側に位置している。この構成によれば、図１２（ａ）に示すように、第２読取部２００を第１読取部１００に上下方向で接近させることができる。実施例における第１読取部１００及び第２読取部２００の高さをＨ１とする。これに対して、図１２（ｂ）に、搬送方向Ｄ１における第１読取部１００の位置と第２読取部２００との位置を同じにした比較例を示す。この比較例における第１読取部１００及び第２読取部２００の高さをＨ２とする。比較例の高さＨ２に対して、実施例の高さＨ１が大幅に小さい。その結果、この画像読取装置１では、装置の高さを小さくできる。
【００８５】
また、図５等に示すように、この画像読取装置１において、筐体８を構成するロアシュート６０は、搬送路Ｐ１における搬送方向Ｄ１の最下流側で、搬送路Ｐ１から下方に延びる下壁６９を有する。この構成によれば、下壁６９により、搬送路Ｐ１における搬送方向Ｄ１の最下流側に位置する排出ローラ７３の排出面６Ａに対する高さが確保される。これにより、搬送されるシート９が下り傾斜したまま、排出ローラ７３により、排出面６Ａにスムーズに排出され易い。また、搬送方向Ｄ１における第１読取部１００より上流側に位置する第２読取部２００は、下壁６９に対しても、搬送方向Ｄ１の上流側に離れる。これにより、下壁６９と第２読取部２００との間に、第２端子部２０５に第２配線ケーブル２１０を接続するためのスペースを広く確保できる。
【００８６】
さらに、この画像読取装置１において、第１配線ケーブル１１０と基板５とが接続される第１接続部５１５と、第２配線ケーブル２１０と基板５とが接続される第２接続部５２５とは、左右方向にずれて配置されている。そして、第１配線ケーブル１１０及び第２配線ケーブル２１０は、第１接続部５１５及び第２接続部５２５から左右方向に互いに離れるように延びている。この構成によれば、第１配線ケーブル１１０の引き回しと、第２配線ケーブル２１０の引き回しとが干渉し難い。また、仮に、第１配線ケーブル１１０及び第２配線ケーブル２１０が並んで同じ方向に延びる場合と比較して、第１配線ケーブル１１０及び第２配線ケーブル２１０が互いに電気的な干渉を及ぼすことを抑制できる。
【００８７】
また、この画像読取装置１において、第１端子部１０５及び第２端子部２０５は、第１配線ケーブル１１０及び第２配線ケーブル２１０に対して着脱可能なコネクタである。そして、第１端子部１０５に第１配線ケーブル１１０を差し込むための第１挿入口９４Ｇに対して、第２端子部２０５に第２配線ケーブル２１０を差し込むための第２挿入口６１Ｇが搬送方向Ｄ１の上流側に位置している。この構成によれば、搬送方向Ｄ１における第１挿入口９４Ｇの位置と第２挿入口６１Ｇの位置とを同じにした場合と比較して、第２配線ケーブル２１０を第２端子部２０５に接続するスペースを確保し易い。
【００８８】
さらに、この画像読取装置１において、筐体８は、上側案内面９４Ａが搬送路Ｐ１の上面を構成する上部カバー９３と、下側案内面６１Ａが搬送路Ｐ１の下面を構成するロアシュート６０及び基板カバー９７とを有する。そして、上部カバー９３は、ロアシュート６０及び基板カバー９７に対して離接可能に設けられている。また、基板５は、ロアシュート６０及び基板カバー９７内に設けられている。上部カバー９３に基板５が設けられると、上部カバー９３が大型化し、大きなものをロアシュート６０及び基板カバー９７に対して離接する構成となり、上部カバー９３の離接、即ち開閉が困難となる。この点、上記構成によれば、ロアシュート６０及び基板カバー９７内に基板５があるため、上部カバー９３の離接がし易い。
【００８９】
また、この画像読取装置１は、第２読取部２００と対向する第１白基準面１５０と、第１読取部１００と対向する第２白基準面２５０と、を有する。この構成によれば、第１読取部１００、及び第２読取部２００についてシェーディング補正を行う際に、各々、第２白基準面２５０、及び第１白基準面１５０を白色の基準とすることができる。
【００９０】
以上において、本発明を実施例に即して説明したが、本発明は上記実施例に制限されるものではなく、その趣旨を逸脱しない範囲で適宜変更して適用できることはいうまでもない。
【００９１】
例えば、実施例では、第１端子部１０５は、第１読取部１００における搬送方向Ｄ１の下流側に位置し、第２端子部２０５は、第２読取部２００における搬送方向Ｄ１の下流側に位置しているが、この構成に限定されず、その逆の位置関係であってもよい。
【００９２】
また、実施例では、第１読取部１００が搬送路Ｐ１に対して上側に位置し、第２読取部２００及び基板５が搬送路Ｐ１に対して下側に位置しているが、この構成に限定されず、その逆の位置関係であってもよい。
【産業上の利用可能性】
【００９３】
本発明は例えば、画像読取装置又は複合機等に利用可能である。
【符号の説明】
【００９４】
１…画像読取装置、８…装置本体（筐体）
９…シート、９Ａ…シートの一方の面（上面）、９Ｂ…シートの他方の面（下面）
Ｄ１…搬送方向、Ｐ１…搬送路、７０…搬送部、３０…駆動部、５…基板
１００…第１読取部、２００…第２読取部
１０５…第１端子部、２０５…第２端子部
１１０…第１配線ケーブル、２１０…第２配線ケーブル
１００Ｒ…第１読取部における幅方向の他端（第１読取部の右端）
２００Ｌ…第２読取部における幅方向の一端（第２読取部の左端）
５１５…第１接続部、５２５…第２接続部
６９…下壁、９４Ｇ…第１挿入口、６１Ｇ…第２挿入口
９３…上部筐体（上部カバー）、９４Ａ…上部筐体の下面（上側案内面）
６０、９７…下部筐体（６０…ロアシュート、９７…基板カバー）
６１Ａ…下部筐体の上面（下側案内面）
１５０…第１白基準面、２５０…第２白基準面
【図１】
0005834839.tif 000002
【図２】
0005834839.tif 000003
【図３】
0005834839.tif 000004
【図４】
0005834839.tif 000005
【図５】
0005834839.tif 000006
【図６】
0005834839.tif 000007
【図７】
0005834839.tif 000008
【図８】
0005834839.tif 000009
【図９】
0005834839.tif 000010
【図１０】
0005834839.tif 000011
【図１１】
0005834839.tif 000012
【図１２】
0005834839.tif 000013